(57)【要約】【課題】  上嵌め込み支持金具が上方に浮くのを防止することができながら、固着具が見え難くする。【解決手段】  上嵌め込み支持金具５を下降させて鏡４の上端部に被嵌した状態で、バックパネル２の上端面の少なくとも一部を上嵌め込み支持金具５の上端面よりも下に位置させて壁面１と上嵌め込み支持金具５との間に凹部６を形成する。前部に押え横片７を備えると共に後部に上程後となるように傾斜した後傾片８を備え且つ後傾片８の下部を押え横片７よりも下方に突出させて鏡押え具１１を構成する。鏡押え具の押え横片７で上嵌め込み支持金具５の上面を押え且つ後傾片８の下部を凹部６に位置させ且つ後傾片８の上端部を壁面１に当接した状態で後傾片８に設けた孔９から固着具１０を先端程下となるように斜め下方に向けて壁面１に挿入。【選択図】        図１
2010194062.tif 000002
【特許請求の範囲】
【請求項１】
壁面に固着したバックパネルの表面下部に設けた下嵌め込み支持金具に鏡の下端部を嵌め込み支持すると共に、バックパネルの表面上部に上下移動自在に設けた上嵌め込み支持金具を鏡の上端部に被嵌する鏡の取付け構造において、
上嵌め込み支持金具を下降させて鏡の上端部に被嵌した状態で、バックパネルの上端面の少なくとも一部を上嵌め込み支持金具の上端面よりも下に位置させて壁面と上嵌め込み支持金具との間に凹部を形成し、前部に押え横片を備えると共に後部に上程後となるように傾斜した後傾片を備え且つ後傾片の下部を押え横片よりも下方に突出させて鏡押え具を構成し、該鏡押え具の押え横片で上嵌め込み支持金具の上面を押え且つ後傾片の下部を凹部に位置させ且つ後傾片の上端部を壁面に当接した状態で後傾片に設けた孔から固着具を先端程下となるように斜め下方に向けて壁面に打ち込んで成ることを特徴とする鏡の取付け構造。
【請求項２】
後傾片の下端部をバックパネルの上端面に押し当てて成ることを特徴とする請求項１記載の鏡の取付構造。
【発明の詳細な説明】
【技術分野】
【０００１】
本発明は、壁面にバックパネルを介して鏡を取付ける構造に関するものである。
【背景技術】
【０００２】
従来から、壁面に合板のようなバックパネルを介して鏡を取付けるものが特許文献１により知られている。
【０００３】
バックパネルは壁面に固着されるもので、該バックパネルの表面下部には上方に開口する断面コ字状をした下嵌め込み支持金具が取付けてあり、また、バックパネルの表面上部には下方に開口する断面コ字状をした上嵌め込み支持金具が上下方向に移動自在に取付けてある。
【０００４】
そして、上嵌め込み支持金具を上方に移動させた状態で、鏡の下端部を上方に開口する断面コ字状の下嵌め込み支持金具に嵌め込むと共に鏡をバックパネルの表面に重ね、その後、上嵌め込み支持金具を下方に移動させて鏡の上端部に被嵌することで、鏡を取付けるようになっている。
【０００５】
ここで、下方に開口する断面コ字状の上嵌め込み支持金具は、上横片の前端から前縦片を垂設すると共に上横片の後端から後縦片を垂設して構成してあり、後縦片は前縦片よりも垂下長さが長く、この後縦片の前縦片よりも下方に位置する部分に縦長孔を形成し、後縦片をバックパネルの表面上部に当接した状態で、ねじ具のような固着具を縦長孔に挿入してバックパネルに固着することで上嵌め込み支持金具を上記縦長孔に沿って上下方向に移動自在に取付けてある。
【０００６】
したがって、上記のように、上嵌め込み支持金具を鏡の上端部に被嵌して鏡を取付けた状態であっても、上嵌め込み支持金具が上方に浮くと鏡の上端部の支持が解除され、鏡が転倒するおそれがある。
【０００７】
そこで、従来、上嵌め込み支持金具を下方に移動して鏡の上端部に被嵌した状態で、上嵌め込み支持金具が上方に浮かないようにするため、Ｌ型押え金具を用いて、Ｌ型押え金具の水平な押え横片を上嵌め込み支持金具の上面に当接した状態でＬ型押え金具の垂直な縦固定片を壁面に当接して該縦固定片をビスのような固着具により壁面に固着することが提案されている。
【０００８】
また、上嵌め込み支持金具にばね材を内装して鏡の上端部に被嵌した状態でばね材により弾接して上嵌め込み支持金具が上方に浮き難くしたものもある。
【先行技術文献】
【特許文献】
【０００９】
【特許文献１】特開平０５−０７６４２５号公報
【発明の概要】
【発明が解決しようとする課題】
【００１０】
しかしながら、上記Ｌ型押え金具を用いて上嵌め込み支持金具の浮き上がりを防止する従来例は、Ｌ型押え金具の垂直な縦固定片に孔を設け、該孔に固着具を挿入してドライバやハンマーを操作して固着具を壁面に固着するに当たり、ドライバやハンマーの操作方向が垂直な縦固定片に対して直角方向となり、ドライバやハンマーの操作の際に上嵌め込み支持金具が邪魔にならないようにするため、縦固定片の上方への突出長さを長くし、この上方への突出長さの長い縦固定片の上部に固着具を挿入する孔を設けねばならない。したがって、固着具の頭部が鏡の前方に立った人から見え商品全体の外観を損なうという問題がある。また、押え横片は上嵌め込み支持金具の上面に当接しているだけで、固着具を打ち込んでも押え横片が上嵌め込み支持金具の上面に強く押付けられることはなく、上嵌め込み支持金具が上方に若干浮く場合がある。
【００１１】
また、上嵌め込み支持金具にばね材を内装して上嵌め込み支持金具が浮き上がり難くした従来例は、上嵌め込み支持金具がばね材を内装した構成のものであるからコストが高くなるという問題があり、更に、ばね材を内装したものは上嵌め込み支持金具が浮き上がり難くすることはできるが、浮き上がりを完全に防止することはできず、振動や外力が作用すると浮き上がるおそれが残っている。
【００１２】
本発明は、上記の点に鑑みて発明したものであり、上嵌め込み支持金具が上方に浮くのを安価で且つ簡単な構成で防止することができながら、固着具が見え難くして商品全体の外観を損なうことがない鏡の取付け構造を提供することを課題としている。
【課題を解決するための手段】
【００１３】
上記課題を解決するために、本発明は、以下のような構成となっている。
【００１４】
本発明の鏡の取付け構造は、壁面１に固着したバックパネル２の表面下部に設けた下嵌め込み支持金具３に鏡４の下端部を嵌め込み支持すると共に、バックパネル２の表面上部に上下移動自在に設けた上嵌め込み支持金具５を鏡４の上端部に被嵌するものである。本発明は、上嵌め込み支持金具５を下降させて鏡４の上端部に被嵌した状態で、バックパネル２の上端面の少なくとも一部を上嵌め込み支持金具５の上端面よりも下に位置させて壁面１と上嵌め込み支持金具５との間に凹部６を形成し、前部に押え横片７を備えると共に後部に上程後となるように傾斜した後傾片８を備え且つ後傾片８の下部を押え横片７よりも下方に突出させて鏡押え具１１を構成し、該鏡押え具の押え横片７で上嵌め込み支持金具５の上面を押え且つ後傾片８の下部を凹部６に位置させ且つ後傾片８の上端部を壁面１に当接した状態で後傾片８に設けた孔９から固着具１０を先端程下となるように斜め下方に向けて壁面１に打ち込んで成ることである。
【００１５】
このような構成とすることで、凹部６に下部を位置させた後傾片８に対して、前方の斜め上方から斜め下方に向けて固着具１０を挿入することができ、固着具１０の頭部を凹部６内又は凹部６にできるだけ近い位置で挿入することが可能となり、この結果、固着具１０の頭部を凹部６内又は凹部６にできるだけ近い位置に位置させることができ、固着具１０の頭部を前方から見え難くできる。
【００１６】
また、後傾片８の下端部をバックパネル２の上端面に押し当てることが好ましい。
【００１７】
このような構成とすることで、鏡押え具１１は上嵌め込み支持金具５の上面、バックパネル２の上端面、壁面１の３点に接し、この状態で後傾片８に固着具１０を挿入することで、各接点の密着度を高め、がたつきを防止して上嵌め込み支持金具５の浮きを確実に防止することができる。
【発明の効果】
【００１８】
本発明は、上記のように鏡押え具の押え横片で上嵌め込み支持金具の上面を押え且つ後傾片の下部を凹部に位置させ且つ後傾片の上端部を壁面に当接した状態で後傾片に設けた孔から固着具を先端程下となるように斜め下方に向けて壁面に打ち込んであるので、固着具の頭部を凹部内又は凹部にできるだけ近い位置に位置させることができ、この結果、固着具の頭部を前方から見え難くして商品全体の外観を損なわないようにできる。また、従来のばね材を内装した上嵌め込み支持金具を用いる場合に比べ、安価で且つ上嵌め込み支持金具の浮き上がりを確実に防止できて、鏡の転倒を防止できる。
【図面の簡単な説明】
【００１９】
【図１】本発明の断面図である。
【図２】（ａ）は同上の鏡押え具の取付け状態を示す拡大断面図であり、（ｂ）は同上の鏡押え具の他の実施形態の取付け状態を示す拡大断面図である。
【図３】（ａ）（ｂ）（ｃ）（ｄ）（ｅ）は同上の取付け順序を示す斜視図である。
【図４】同上に用いる鏡押え具の斜視図である。
【発明を実施するための形態】
【００２０】
以下、本発明を添付図面に示す実施形態に基いて説明する。
【００２１】
図１に示すように、壁面１の表面に合板のようなバックパネル２が固着され、このバックパネル２の表面に鏡４が取付けられる。
【００２２】
バックパネル２には表面下部に下嵌め込み支持金具３が固着してあり、また、表面上部に上嵌め込み支持金具５が固着してある。
【００２３】
下嵌め込み支持金具３は上方に開口する断面コ字状をしており、下横片３ａの前端から上方に前縦片３ｂを突設すると共に下横片３ａの後端から上方に後縦片３ｃを突設して構成してあり、後縦片３ｃの上方への突出長さが前縦片３ｂの上方への突出長さよりも長くなっている。そして、後縦片３ｃをバックパネル２の表面下部に当接し、後縦片３ｃの上部に設けた孔からねじ具のような固着具１０を挿入して下嵌め込み支持金具３をバックパネル２の表面下部に固着してある。
【００２４】
上嵌め込み支持金具５は下方に開口する断面コ字状をしており、上横片５ａの前端から下方に前縦片５ｂを垂設すると共に上横片５ａの後端から下方に後縦片５ｃを垂設して構成してあり、後縦片５ｃの下方への垂設長さが前縦片５ｂの下方への突出長さよりも長くなっており、この後縦片５ｃの下部に上下方向に長い縦長孔５ｄを設けてある。そして後縦片５ｃをバックパネル２の表面上部に当接した状態で、縦長孔５ｄからねじ具のような固着具１０を挿入して上嵌め込み支持金具５をバックパネル２の表面上部に固着してあり、縦長孔５ｄが固着具１０に対してスライドすることで、上嵌め込み支持金具５が上下方向に移動自在となっている。
【００２５】
上嵌め込み支持金具５の上横片５ａはバックパネル２の上端面よりも上方に突出するようにバックパネル２に上下移動自在に取付けられるもので、上嵌め込み支持金具５を最大限下方に移動させた状態でも上嵌め込み支持金具５の上横片５ａはバックパネル２の上端面よりも上方に突出し、バックパネル２を壁面１の表面に重ねて固着した状態で、壁面１と上嵌め込み支持金具５との間に上方に開口する凹部６が形成される。
【００２６】
また、バックパネル２の表面には必要に応じて両面粘着テープ１３が貼着してある。
【００２７】
上記の構成のバックパネル２を図３（ａ）のように、壁面１の表面に重ねて固着具により固着し、バックパネル２の表面に鏡４を取付けるのであるが、鏡４は以下のようにして取付ける。
【００２８】
まず、両面粘着テープ１３を貼着している場合は、両面粘着テープ１３表面に設けた離型紙１６を剥離し、その後、図３（ｂ）のように、上嵌め込み支持金具５を上方に移動させた状態で、鏡４の下端部を上方に開口する断面コ字状の下嵌め込み支持金具３に嵌め込むと共に、鏡４をバックパネルの表面に重ねて両面粘着テープ１３で鏡４をバックパネル２の表面に貼付け、その後、図３（ｃ）のように、上嵌め込み支持金具５を下方に移動させて鏡４の上端部に被嵌することで、鏡４を取付ける。
【００２９】
上記のようにして鏡４を取付けた場合、上嵌め込み支持金具５が何らかの理由で上方に移動して嵌め込みが解除されると、鏡４は下端部のみが下嵌め込み支持金具３に支持されているだけなので、倒れるおそれがある。また、両面粘着テープ１３による貼付けを併用したものであっても、両面粘着テープ１３の粘着が剥がれて倒れるおそれがある。
【００３０】
そこで、本発明においては、鏡押え具１１により、鏡４の取付け後に上嵌め込み支持金具５が上方に移動しないようにする。
【００３１】
鏡押え具１１は、図４に示すようなもので、前部に設けた水平な押え横片７の後端から下程後となるように傾斜するか又は下方に垂下した下向き片１４を連設し、下向き片１４の下端から上程後となるように傾斜した後傾片８を連設することで構成してあり、押え横片７よりも下方に位置する後傾片８の下部と下向き片１４とでＶ字状又はレ字状をした下向き突部１５を構成している。後傾片８の押え横片７とほぼ同じ高さ位置には孔９が設けてあり、該孔９は後傾片８に対して直交する方向（つまり斜め上方）に開口している。
【００３２】
上記の構成の鏡押え具１１を用いて上嵌め込み支持金具５が上方に移動できないようにするには以下のように鏡押さえ具１１を取付けることにより行う。
【００３３】
すなわち、図２（ａ）（ｂ）、図３（ｅ）に示すように、鏡押え具１１の押え横片７で上嵌め込み支持金具５の上面を押え且つ下向き突部１５を凹部６に位置させ且つ後傾片８の上端部を壁面１に当接した状態で、後傾片８に設けた孔９から固着具１０を先端程下となるように斜め下方に向けて壁面１に挿入することにより、鏡押さえ具１１を取付ける。
【００３４】
固着具１０を斜め下方に挿入することで、後傾片８の上端が壁面１に強く押付けられると共に押え横片７が上嵌め込み支持金具５の上面に強く押付けられて、上嵌め込み支持金具５の上方への移動（浮き）を防止する。
【００３５】
なお、図２（ａ）に示す実施形態に示すように、凹部６内に位置する下向き突部１５の下端、すなわち後傾片８の下端がバックパネル２の上端面に押付けられるようにしてもよく、この場合は、鏡押え具１１が上嵌め込み支持金具５の上面、バックパネル２の上端面、壁面１の３点に強く押付けられて密着し、これにより各接点の密着度を高めることができ、より確実に上嵌め込み支持金具５の上方への移動（浮き）を防止することができる。
【００３６】
上記のようにして鏡押え具１１を取付けるのであるが、既に述べたように後傾片８に設けた孔９から固着具１０を先端程下となるように斜め下方に向けて壁面１に挿入するので、固着具１０を打入操作するためのドライバーやハンマーを上嵌め込み支持金具５の上方位置において斜め上方から斜め下方に向けて操作することが可能となり、この結果、固着具１０を後傾片８の下部の凹部６内に位置する部分又は後傾片８の凹部６にできるだけ近い位置で挿入することが可能となり、固着具１０の頭部を前方から見え難くできる。
【００３７】
添付図面に示す実施形態においては、後傾片８の凹部６にできるだけ近い位置に孔９を設けた例として、前述のように、後傾片８の押え横片７とほぼ同じ高さ位置には孔９を設けた例が示してある。孔９の位置が凹部６内に位置すると、固着具１０の頭部が鏡４の前方に立った人から見えないようにできるが、固着具１０の打ち込みがややし難くなる。これに対して後傾片８の押え横片７とほぼ同じ高さ位置には孔９を設けると固着具１０の打ち込みがし易く、しかも、鏡４は通常、鏡４の前方に立った人の顔を写すものであるから、鏡４の上端は人の頭よりも高い位置となるように取付けられるのが一般的であり、このため、後傾片８の押え横片７とほぼ同じ高さ位置に固着具１０の頭部が位置する本実施形態においては、固着具１０の頭部が鏡４の前方に立った人から見えないようにできる。
【００３８】
また、鏡押え具１１の後傾片８は、上記のように取付けた際、後傾片８の上端が鏡４の前方に立った人から見えないようにするのが好ましい。このため、後傾片８の押え横片７よりも上方に位置する部分の長さを短くする。
【符号の説明】
【００３９】
１  壁面
２  バックパネル
３  下嵌め込み支持金具
４  鏡
５  上嵌め込み支持金具
６  凹部
７  押え横片
８  後傾片
９  孔
１０  固着具
１１  鏡押え具
【図１】
2010194062.tif 000003
【図２】
2010194062.tif 000004
【図３】
2010194062.tif 000005
【図４】
2010194062.tif 000006